(57)【要約】【課題】  本考案は、読み終えた新聞記事の利用と、新聞紙リサイクルのための保管および十文字結束を容易に行うための用具に関するものである。【解決手段】  長方形平板の四隅に配した四つの箱状台座とその上部一部に側壁を備えた収納部に新聞紙を二つ折りのまま積載するストッカーとし、先端部に紐を挟むＶ字状スリットの付いた紐通しバーを補助具として用いストッカー下部空間での紐通しを行うことにより、新聞紙の十文字結束が容易に行える構造とした。台座の一部は棚または引き出し式収納部とし、紐・はさみ・カッター・糊などの結束と切り抜きの用具を収容するものであって、紐通しバーが記事切り抜き時のカッターガイドとしても機能することと併せ、必要な用具をストッカー自体に集中保管し、一連の作業効率を高めることとしている。【選択図】図１
0003149512.tif 000002
【実用新案登録請求の範囲】
【請求項１】
長方形平板の四隅に四つの箱状台座を配し、一部台座の外側面に沿った上方に側板を設けた中に二つ折りサイズの新聞紙を蓄積する形態であって、台座自体は小物収納容器であることを特徴とする新聞紙ストッカー
【請求項２】
帯板の先端に紐を挟む鋭角な切り欠きを形成した紐通しバーを常設して用いることを特徴とする、請求項１記載の新聞紙ストッカー
【考案の詳細な説明】
【技術分野】
【０００１】  本考案は、読み終えた新聞記事の利用と、新聞紙リサイクルのための保管および十文字結束を容易に行うための用具に関するものである。
【背景技術】
【０００２】  最近は新聞紙リサイクルへの取組みが進み、家庭で使用する各種の収納および結束のための容器が考案され、一般には四つ折りサイズでの収納・結束を行う箱型専用容器の中に予め紐を配置するか、後での紐通しを可能にした構造により、効率的な十文字結束を簡便にする工夫がされている。【０００３】  公開特許２００６−１９３２１１号公報は、収納容器を分割構造とし下部空間を通して手で紐を回せることにより、容易に十文字結束が行えるものである。
【考案の開示】
【考案が解決しようとする課題】
【０００４】  通常の新聞紙四つ折りサイズで行われる収納容器は、過去記事を探すには不便であり、また結束においては、新たな折り目を作る分膨らんでしまい、タイトな結束を行い難くしているばかりでなく、底面が小さく安定さを欠くため結束体の積み重ね後に転倒して結束が外れる不具合が発生し易い。さらに被結束物の側面に予め紐を配置しておく構造のものは、紐を長めに切断して用いざるを得ないために材料の無駄がある。【０００５】  前記公開特許２００６−１９３２１１号公報は、玉紐・カッター・鋏等の結束用具収納を兼ねた空間を備えることで収納と結束の利便性を確保しているものの、新聞記事の有効利用を意図したものではなく、過去記事を見るには容器から取り出す必要がある。【０００６】  本考案は、収納と結束の目的のみに使用するのではなく、ストッカー自体に記事切り貼り用具と結束用具を備えるとともに、一部に邪魔な側壁がない形として新聞紙二つ折りのまま積層保管することで過去記事を探し易いものとすること、および不要になった新聞紙を収納状態のまま十文字結束が容易に行える構造とすることで、一連の作業効率を高めることにある。
【課題を解決するための手段】
【０００７】  前記課題に対して本考案が採った方法は、長方形平板の四隅に配した四つの箱状台座とその上部一部に側壁を備えた主収納部に新聞紙を二つ折りのまま積載するストッカーとし、先端部に紐を挟むＶ字状スリットの付いた紐通しバーを補助具として用いストッカー下部空間での紐通しを行うことで、新聞紙の十文字結束が容易に行える構造とした。
台座の一部は棚または引き出し式収納部とし、紐・はさみ・カッター・糊などの結束と切り抜きの用具を収容するものであって、紐通しバーが記事切り抜き時のカッターガイドとしても機能することと併せ、必要な用具をストッカー自体に集中保管し、一連の作業効率を高めることとしている。
【考案を実施するための最良の形態】
【０００８】  本考案は、新聞紙二つ折りサイズよりやや大きめの長方形基盤（３）の四隅に箱状台座（４）を配置し、少なくとも２つ以上の台座の上端部側面から立ち上がる側壁（５）とともに新聞紙収納部を形成すること、および台座部を結束用および記事切り抜き用の用具を収納する棚（６）および引き出し（７）とする新聞紙ストッカーである。台座は棚（６）内に玉巻きの結束紐（８）を収納できる高さに設定する。また長さ４０ｃｍ程度の定規状帯板の先端にＶ字スリット（９ａ）を設けた紐通しバー（９）をストッカー基盤（３）上に常設する。【０００９】  ストッカー台座の少なくとも一つは無側壁台座（４ａ）であり、新聞一面右肩部を該位置に揃えて収納することにて、積載後の日付による抽出を容易にする。【００１０】  台座の外周壁面において、台座の上面に向け台座相互の間隔を狭める形状に紐ガイド（１０）を設ける。
【実施例】
【００１１】  以下、添付図に基づいて実施例を説明する。図１は本考案の実施態様を示す斜視図であり、図２のストッカーと図３の紐通しバーにて構成される。また図４、図５は、ストッカーの平面図と側面図である。【００１２】  読み終えた新聞に残したい記事がある時、本ストッカーの小物入れ用引き出し（７）からカッターと基盤（３）上に常設してある紐通しバー（９）を取り出し、バー側面にカッターを当てつつ該当記事を切り抜き、別途スクラップ帳に貼る。残部はストッカーに印刷方向を揃えて積み上げ、収納を完了する。【００１３】  過去の新聞の調べたい記事があれば、ストッカーの無側壁台座（４ａ）位置にて、積載した中から日付を辿って容易に探し出すことが出来る。【００１４】  新聞紙（１）結束に当っては、直近の残したい新聞を上方から取り出し、これを結束作業が完了後に空のストッカーに戻すものとする。次いで、棚（６）から結束紐（８）の端部を長さに余裕を持って引き出し、紐通しバー（９）のＶ字スリット（９ａ）に先端を挟み込む。このとき、留まり難い場合は紐先端に結びを作って掛けると抜けることがない。【００１５】  図６は、紐通し開始時の態様を示し、図７は紐通し順を説明するものである。紐先端を掛けた状態で紐通しバー（９）を持ち、（イ）からストッカーの長径方向に台座間を通過させ、反対側（ロ）からこれを手で引き出し、上面側に持ち上げる。このとき、紐ガイド（１０）は、新聞紙底面側の紐位置が幅のほぼ中間となるよう紐を誘導する。ストッカーの側壁ガイド端（ロ、ハ）に紐を当てながら下方へ引き下げ、同様に今度は短径方向に台座間を（ニ）まで通過させて再び上面側に持ってくる。次いでガイドから外した紐先端を、先に側壁ガイドに掛けた紐をくぐらせ（ホ）、最初の紐通し位置上部（ヘ）に引いて、紐の後部と会合させる。ここで、新聞紙上面中央部（図７の矢印方向）に紐交絡部（ホ）を引いて十文字ができるよう保持したまま、新聞の上端角部にて紐の始終部を交絡させ、緩みをなくしつつ紐結束部（１１）を作るものとする。さらに紐残部を引き出し（７）から取り出した鋏で切り離した後、紐の十文字部を持ち上げれば、結束した新聞紙（１）をストッカーから容易に取り出すことができる。【００１６】  本容器は可動ワゴンの上面に置いて用いることで、収納時は勿論、結束作業時もワゴンごと引き出し、腰をかがめることなくより楽な姿勢での紐通し作業が可能となって、作業性は更に向上する。なお、二背面が壁の場所であっても、ストッカーとの間に紐を手で引き上げ可能な隙間を設けることで、紐通し結束作業はできる。【００１７】  本発明は、プラスチック、ダンボール、木、および金属質で形成し、分割・組立可能にキット化できる。
【考案の効果】
【００１８】  本考案は、新聞の記事切り抜きと結束作業に要する小物を台座に収納することで、探す手間も掛からず、これまで億劫であった記事の切り抜き作業を簡便に実施できるため、作業の効率が飛躍的に増す効果がある。
【００１９】  すなわち新聞記事中に必要なものがあれば、ストッカーの引き出し部から定規・カッター・糊等を取り出してスクラップ帳へ貼り付けるとともに、残部を主収納部へ側面ガイドに沿わせ積み上げる。過去記事に見たいものがある時は、主収納部に積み上げた新聞束から当該日付新聞を容易に探すことができ、要すれば記事を前記同様に切り出すことができる。
【００２０】  本ストッカーを用いると、新聞紙を堆積した状態のまま紐通しバーに紐先端を掛けて紐の回し込みができ、効果的な十文字結束を容易に行える。
【００２１】  新聞紙二つ折りサイズでの結束は、新たな折り目を作らない分膨らみが少なく、余分な力を要せず結束が行える効果に繋がっており、非力な人間でも緩みが少ない整った結束が簡単に可能となる。また、結束後のバラケが生じ難く積み重ねも安定しており、回収事業者にとっても都合が良い形態である。
【００２２】  本考案を用いての結束は、細い紐の複数回回しや短い紐のつなぎ合わせが可能であり、さらに予め紐を長めに切断をして用意することもないなど、紐の余剰を発生させずムダが生じない効果がある。
【産業上の利用可能性】
【００２３】  本考案は、二つ折り結束・回収の一般化を推奨するものであり、新聞販促で提供されている回収袋を用いないためエコ活動に寄与するとともに、異材混入防止検出力改善にて紙品質の向上に繋がるばかりでなく、結束体の安定性から回収搬送時の荷崩れを防止でき、回収作業全体の効率改善に寄与するものである。
【図面の簡単な説明】
【００２４】
【図１】本考案の実施態様例図
【図２】ストッカーの斜視図
【図３】紐通しバー
【図４】ストッカーの平面図
【図５】ストッカーの側面図
【図６】紐通し開始の状況図
【図７】紐通し順の例示図
【符号の説明】
【００２５】  １  新聞紙
２  紐
３  基盤
４  台座
４ａ  無側壁台座
５  側壁
６  棚
７  引き出し
８  玉巻き結束紐
９  紐通しバー
９ａ  Ｖ字スリット
１０  紐ガイド
１１  紐結束部
１２  カッター
【図１】
0003149512.tif 000003
【図２】
0003149512.tif 000004
【図３】
0003149512.tif 000005
【図４】
0003149512.tif 000006
【図５】
0003149512.tif 000007
【図６】
0003149512.tif 000008
【図７】
0003149512.tif 000009